(57)【要約】  【課題】冷蔵室のドア開閉が増加する夏場においても、冷凍室の能力を確保でき、更に野菜室の湿度に保ち、野菜室に貯蔵する食品の保鮮性を向上する冷蔵庫を提供する。  【解決手段】第１の冷却器２３で冷蔵室１８を冷却し、第２の冷却器２６で製氷室２０、第１の冷凍室１９、第２の冷凍室２１を冷却し、第１の冷凍室用戻り風路２８ｃを通過する第１の冷凍室１９を冷却した冷気で野菜室２２を冷却し、更に野菜室２２の上部が製氷室２０と第１の冷蔵室１９で下部が第２の冷凍室２１であり、野菜室背面には冷凍室用ダクト２８を配置しているため、夏場に冷蔵室１８のドア開閉が増え、冷蔵室１８に暖湿気が流入し、第１の冷却器２３の冷却能力が低下しても、第２の冷却器２６は全く影響受けないため、冷凍室の冷凍能力を十分確保することができる。【選択図】図２
2006220315.tif 000002
【特許請求の範囲】
【請求項１】
冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための吐出風路及び前記冷蔵室を冷却した冷気を前記第１の冷却器に戻すための冷蔵用戻り風路を設けた冷蔵室用ダクトと、前記第２の冷凍室の奥に設置した第２の冷却器と、前記第２の冷却器と前記第２の冷凍室を仕切り、前記第２の冷却器で冷却された冷気を前記製氷室と前記第１の冷凍室と前記第２の冷凍室へ導く吐出風路及び前記第１の冷凍室を冷却した冷気を前記第２の冷却器に戻すための第１の冷凍室用戻り風路を設けた冷凍室用ダクトとを備え、前記第１の冷却器で冷蔵室を冷却し、前記第２の冷却器で前記製氷室と前記第１の冷凍室と前記第２の冷凍室とを冷却し、前記第１の冷凍室用戻り風路を通過する前記第１の冷凍室を冷却した冷気で前記野菜室を冷却することを特徴とする冷蔵庫。
【請求項２】
前記野菜室天面にアルミプレートを設置したことを特徴とする請求項１に記載の冷蔵庫。
【請求項３】
前記野菜室天面に樹脂ダクトを設置したことを特徴とする請求項１に記載の冷蔵庫。
【請求項４】
前記野菜室に設けられた野菜収納ケースの上部に蓋を設置したことを特徴とする請求項１に記載の冷蔵庫。
【請求項５】
前記冷凍室用ダクトに前記第２の冷却器で冷却された冷気を前記野菜室へ導く吐出風路を設けたことを特徴とした請求項１から４のいずれか一項に記載の冷蔵庫。
【発明の詳細な説明】
【技術分野】
【０００１】
本発明は、冷蔵庫の冷却仕様に関するものである。
【背景技術】
【０００２】
近年、様々なレイアウトの冷蔵庫が発売されている（例えば、特許文献１参照）。
【０００３】
図９は、特許文献１に記載された従来の冷蔵庫を示すものである。図９に示すように冷蔵庫本体１と、この本体の上部に設けられた冷蔵室２と、冷蔵室の下に設けられた切替室３と、冷蔵室の下で切替室に並列に設けられた製氷室４と、本体下部設けられた冷凍室５と、並列に設置された切替室及び製氷室と冷凍室の間に設けられた野菜室６と、冷気を生成する冷却器７と、冷気を各室に供給するファン装置８とを有し、冷凍室に冷気を供給するための冷凍室用送風路９と、製氷室に冷気を供給するための製氷用送風路１０と、製氷室から冷気を冷却器に戻す製氷室用帰還風路１１と、製氷室用送風路を通る冷気の一部を分流させて切替室に送る切替室用送風路１２と、切替室から冷気を冷却器に戻すための切替室用帰還風路１３と、切替室用送風路を通る冷気の一部を分流させて、冷蔵室に送る冷蔵室用送風路１４と、冷蔵室に送られた冷気を野菜室に戻すための冷蔵室用帰還風路１５と、野菜室に送ら冷気を冷却器に戻すための野菜室用帰還風路１６から構成される。
【特許文献１】特開平１１−３２５６９１号公報
【発明の開示】
【発明が解決しようとする課題】
【０００４】
しかしながら上記従来の構成では、一つの冷却器で冷蔵庫本体全体の冷却をカバーせねばならず、特に夏場において冷蔵室の扉開閉が増えた場合、多量の暖湿気が冷却器に戻ることにより冷却器に霜が付着し、冷却器の能力が大幅にダウンし、冷凍室の冷却能力が低下するという課題を有していた。また野菜室に直接冷気を循環させて冷却を行うため、野菜室内の湿度が低下し、野菜室内に貯蔵する野菜等の食品の保鮮性が劣化してしまうという課題を有していた。
【０００５】
本発明は、上記従来の課題を解決するもので、冷蔵室のドア開閉が増加する夏場においても、冷凍室の能力を確保し、さらに野菜室内に貯蔵する野菜等の食品の保鮮性を向上する冷蔵庫を提供することを目的とする。
【課題を解決するための手段】
【０００６】
上記従来の課題を解決するために、本発明の冷蔵庫は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための吐出風路及び前記冷蔵室を冷却した冷気を前記第１の冷却器に戻すための冷蔵用戻り風路を設けた冷蔵室用ダクトと、前記第２の冷凍室の奥に設置した第２の冷却器と、前記第２の冷却器と前記第２の冷凍室を仕切り、前記第２の冷却器で冷却された冷気を前記製氷室と前記第１の冷凍室と前記第２の冷凍室へ導く吐出風路及び前記第１の冷凍室を冷却した冷気を前記第２の冷却器に戻すための第１の冷凍室用戻り風路を設けた冷凍室用ダクトとを備え、前記第１の冷却器で冷蔵室を冷却し、前記第２の冷却器で前記製氷室と前記第１の冷凍室と前記第２の冷凍室とを冷却し、前記第１の冷凍室用戻り風路を通過する前記第１の冷凍室を冷却した冷気で前記野菜室を冷却することを特徴したものである。
【０００７】
これによって、第１の冷却器で冷蔵室を冷却し、第２の冷却器で製氷室と第１の冷凍室と第２の冷凍室を冷却するようにしたことにより、夏場に冷蔵室のドア開閉が増え、冷蔵室に暖湿気が流入し、第１の冷却器の冷却能力が低下しても、第２の冷却器は全く影響受けないため、第２の冷凍室の冷凍能力を十分確保することができる。また、第１の冷凍室用戻り風路を通過する第１の冷凍室を冷却した冷気で野菜室を冷却することで冷却効率を向上することができ、更に野菜室の上部が製氷室と第１の冷蔵室で下部が第２の冷凍室であり、野菜室背面には冷凍室用ダクトを配置しているため、熱伝導による野菜室への冷却効果が生じ、野菜室を直接循環する冷気を減少させることができ、野菜室の湿度の低下を抑え、野菜の保鮮性を向上させることができる。
【発明の効果】
【０００８】
本発明の冷蔵庫は第１の冷却器で冷蔵室を冷却し、第２の冷却器で製氷室、第１の冷凍室、第２の冷凍室を冷却するようにしたことにより、夏場に冷蔵室のドア開閉が増え冷蔵室に暖湿気が流入しても第２の冷凍室を冷却する第２の冷却器は全く影響を受けないため第２の冷凍室の冷凍能力を十分確保することができる。また、第１の冷凍室用戻り風路を通過する第１の冷凍室を冷却した冷気で野菜室を冷却することで冷却効率を向上することができ、更に野菜室の上部が製氷室と第１の冷蔵室で下部が第２の冷凍室であり、野菜室背面には冷凍室用ダクトを配置しているため、熱伝導による野菜室への冷却効果が生じ、野菜室を直接循環する冷気を減少させることができ、野菜室の湿度の低下を抑え、野菜の保鮮性を向上させることができる。
【発明を実施するための最良の形態】
【０００９】
請求項１に記載の発明は、冷蔵庫本体と、この本体の上部に冷蔵食品等を貯蔵する冷蔵室と、前記冷蔵室の下部に設けられた第１の冷凍室と、前記冷蔵室の下部で前記第１の冷凍室に並列配置された製氷及び氷の貯蔵を行う製氷室と、前記冷蔵庫本体下部に設けられた第２の冷凍室と、並列配置された前記製氷室及び前記第１の冷凍室と前記第２の冷凍室の間に設けられた野菜類を貯蔵する野菜室と、前記冷蔵室背面に設置した第１の冷却器と、前記第１の冷却器と前記冷蔵室を仕切り、前記第１の冷却器によって冷却された冷気を前記冷蔵室に導くための吐出風路及び前記冷蔵室を冷却した冷気を前記第１の冷却器に戻すための冷蔵用戻り風路を設けた冷蔵室用ダクトと、前記第２の冷凍室の奥に設置した第２の冷却器と、前記第２の冷却器と前記第２の冷凍室を仕切り、前記第２の冷却器で冷却された冷気を前記製氷室と前記第１の冷凍室と前記第２の冷凍室へ導く吐出風路及び前記第１の冷凍室を冷却した冷気を前記第２の冷却器に戻すための第１の冷凍室用戻り風路を設けた冷凍室用ダクトとを備え、前記第１の冷却器で冷蔵室を冷却し、前記第２の冷却器で前記製氷室と前記第１の冷凍室と前記第２の冷凍室とを冷却し、前記第１の冷凍室用戻り風路を通過する前記第１の冷凍室を冷却した冷気で前記野菜室を冷却することで、夏場に冷蔵室のドア開閉が増え冷蔵室に暖湿気が流入しても第２の冷凍室を冷却する第２の冷却器は全く影響を受けないため第２の冷凍室の冷凍能力を十分確保することができ、また、第１の冷凍室用戻り風路を通過する第１の冷凍室を冷却した冷気で野菜室を冷却することで冷却効率を向上することができ、更に野菜室の上部が製氷室と第１の冷蔵室で下部が第２の冷凍室であり、野菜室背面には冷凍室用ダクトを配置しているため、熱伝導による野菜室への冷却効果が生じ、野菜室を直接循環する冷気を減少させることができ、野菜室の湿度の低下を抑え、野菜の保鮮性を向上させることができる。
【００１０】
請求項２に記載の発明は、野菜室の天面にアルミプレートを配置させてアルミプレートを第１の冷凍室用戻り風路の冷気によって冷却することで、アルミプレート下部の野菜を、直接冷気を循環させずに冷却し、湿度の低下を抑え、野菜類の保鮮性を向上させることができる。
【００１１】
請求項３に記載の発明は、野菜室の天面に樹脂ダクトを配置させて樹脂ダクトを第１の冷凍室用戻り風路の冷気によって冷却することで、樹脂ダクト下部の野菜を、直接冷気を循環させずに冷却し、湿度の低下を抑え、野菜類の保鮮性を向上させることができる。
【００１２】
請求項４に記載の発明は、野菜室に設けられた野菜収納ケースの上部に蓋を設置し、蓋及び野菜収納ケースの周囲を第１の冷凍室用戻り風路の冷気によって冷却することで、蓋及び野菜収納ケース内の野菜を、直接冷気を循環させずに冷却し、湿度の低下を抑え、野菜類の保鮮性を向上させることができる。
【００１３】
請求項５に記載の発明は、冷凍室用ダクトに第２の冷却器で冷却された冷気を前記野菜室へ導く吐出風路を設けたもので、更に野菜室の冷却効率が高めることができ、野菜の鮮度を高めることができる。
【００１４】
以下、本発明の実施の形態について、図面を参照しながら説明する。なお、この実施の形態によってこの発明が限定されるものではない。
【００１５】
（実施の形態１）
図１は本発明の実施の形態１における冷蔵庫の正面図である。図２は本発明の実施の形態１における冷蔵庫の風路を示す正面図である。図３は本発明の実施の形態１における冷蔵庫の風路を示す断面図である。
【００１６】
図１において１７は冷蔵庫本体であり、最上部に冷蔵室１８と、冷蔵室１８の下方に第１の冷凍室１９と、第１の冷凍室１９と並列配置された製氷及び氷の貯蔵を行う製氷室２０と、本体下部に設けられた第２の冷凍室２１と、並列配置した製氷室２０及び第１の冷凍室１９と第２の冷凍室２１の間に設けられた、野菜類を貯蔵する野菜室２２を有する。
【００１７】
図２、３において、２３は第１の冷却器であり冷蔵室１８の背面に設置されている。２５は冷蔵室用ダクトであり、第１の冷却器２３によって冷却された冷気を冷蔵室１８に導くための冷蔵室用吐出風路２５ａと冷蔵室１８を冷却した冷気を第１の冷却器２３に戻すための冷蔵室用戻り風路２５ｂを有しており、第１の冷却器２３の前に設置される。２４は冷蔵室用冷却ファンであり第１の冷却器２３で発生した冷気を循環させる。２６は、第２の冷却器であり、第２の冷凍室２１の背面に設置されている。２８は冷凍室用ダクトであり、第２の冷却器２６で冷却された冷気を製氷室２０及び第１の冷凍室１９及び第２の冷凍室２１へ導く冷凍室用吐出風路２８ａと製氷室２０及び第２の冷凍室２１を冷却した冷気を第２の冷却器２６に戻すための冷凍室用戻り風路２８ｂと第１の冷凍室１９を冷却した冷気を第２の冷却器２６に戻すための第１の冷凍室用戻り風路２８ｃを有しており、第２の冷却器２６の前に設置される。２７は冷凍室用冷却ファンであり、第２の冷却器２６で発生した冷気を循環させる。
【００１８】
以上のように構成された冷蔵庫について、以下その動作、作用について説明する。
【００１９】
冷蔵室１８は第１の冷却器２３によって冷却される冷気を直接循環させることによって冷却され、製氷室２０、第１の冷凍室１９、第２の冷凍室２１は第２の冷却器２６によって冷却される冷気を直接循環させることによって冷却されているので、夏場に冷蔵室１８のドア開閉が増え冷蔵室１８に暖湿気が流入しても、第２の冷凍室２１を冷却する第２の冷却器２６は全く影響を受けないため、第２の冷凍室２１の冷凍能力を十分確保することができる。更に、野菜室２２は第１の冷凍室用戻り風路２８ｃを通過する第１の冷凍室１９を冷却した冷気によって冷却されているので、冷却効率が向上し、また野菜室２２は上部が製氷室２０と第１の冷蔵室１９で下部が第２の冷凍室２１であり、野菜室２２背面には冷凍室用ダクト２８を配置しているので、熱伝導による野菜室２２への冷却効果が生じ、野菜室２２を直接循環する冷気を減少させることができ、野菜室２２の湿度の低下を抑え、野菜の保鮮性を向上させることができる。
【００２０】
（実施の形態２）
図１は本発明の実施の形態２における冷蔵庫の正面図である。図２は本発明の実施の形態２における冷蔵庫の風路を示す正面図である。図４は本発明の実施の形態２における冷蔵庫の風路を示す断面図である。図１の説明は実施の形態１と同様であるため省略する。
【００２１】
図２、４において、第１の冷却器２３、冷蔵室用ダクト２５、冷蔵室用吐出風路２５ａ、冷蔵室用戻り風路２５ｂ、冷蔵室用冷却ファン２４、第２の冷却器２６、冷凍室用ダクト２８、冷凍室用吐出風路２８ａ、冷凍室用戻り風路２８ｂ、第１の冷凍室用戻り風路２８ｃ、冷凍室用冷却ファン２７は実施の形態１と同様であるため詳細な説明は省略する。２９はアルミプレートであり、第１の冷凍室用戻り風路２８ｃを通過する第１の冷凍室１９を冷却した冷気を受けている。
【００２２】
以上のように構成された冷蔵庫について、以下その動作、作用について説明する。
【００２３】
冷蔵室１８は第１の冷却器２３によって冷却される冷気を直接循環させることによって冷却され、製氷室２０、第１の冷凍室１９、第２の冷凍室２１は第２の冷却器２６によって冷却される冷気を直接循環させることによって冷却されているので、夏場に冷蔵室１８のドア開閉が増え冷蔵室１８に暖湿気が流入しても、第２の冷凍室２１を冷却する第２の冷却器２６は全く影響を受けないため、第２の冷凍室２１の冷凍能力を十分確保することができる。更に、野菜室２２は上部が製氷室２０と第１の冷蔵室１９で下部が第２の冷凍室２１であり、野菜室２２背面には冷凍室用ダクト２８を配置しているので、熱伝導による野菜室２２への冷却効果が生じ、また第１の冷凍室用戻り風路２８ｃを通過する第１の冷凍室１９を冷却した冷気を受けたアルミプレート２９によって冷却されているので、直接冷気を循環させずに冷却されるため、野菜室２２の湿度の低下を抑え、野菜の保鮮性を向上させることができる。
【００２４】
（実施の形態３）
図１は本発明の実施の形態３における冷蔵庫の正面図である。図２は本発明の実施の形態３における冷蔵庫の風路を示す正面図である。図５は本発明の実施の形態３における冷蔵庫の風路を示す断面図である。図１の説明は実施の形態１と同様であるため省略する。
【００２５】
図２、５において、第１の冷却器２３、冷蔵室用ダクト２５、冷蔵室用吐出風路２５ａ、冷蔵室用戻り風路２５ｂ、冷蔵室用冷却ファン２４、第２の冷却器２６、冷凍室用ダクト２８、冷凍室用吐出風路２８ａ、冷凍室用戻り風路２８ｂ、第１の冷凍室用戻り風路２８ｃ、冷凍室用冷却ファン２７は実施の形態１と同様であるため詳細な説明は省略する。３０は樹脂ダクトであり、第１の冷凍室用戻り風路２８ｃを通過する第１の冷凍室１９を冷却した冷気を受けている。
【００２６】
以上のように構成された冷蔵庫について、以下その動作、作用について説明する。
【００２７】
冷蔵室１８は第１の冷却器２３によって冷却される冷気を直接循環させることによって冷却され、製氷室２０、第１の冷凍室１９、第２の冷凍室２１は第２の冷却器２６によって冷却される冷気を直接循環させることによって冷却されているので、夏場に冷蔵室１８のドア開閉が増え冷蔵室１８に暖湿気が流入しても、第２の冷凍室２１を冷却する第２の冷却器２６は全く影響を受けないため、第２の冷凍室２１の冷凍能力を十分確保することができる。更に、野菜室２２は上部が製氷室２０と第１の冷蔵室１９で下部が第２の冷凍室２１であり、野菜室２２背面には冷凍室用ダクト２８を配置しているので、熱伝導による野菜室２２への冷却効果が生じ、また第１の冷凍室用戻り風路２８ｃを通過する第１の冷凍室１９を冷却した冷気を受けた樹脂ダクト３０によって冷却されているので、直接冷気を循環させずに冷却されるため、野菜室２２の湿度の低下を抑え、野菜の保鮮性を向上させることができる。
【００２８】
（実施の形態４）
図１は本発明の実施の形態４における冷蔵庫の正面図である。図２は本発明の実施の形態４における冷蔵庫の風路を示す正面図である。図６は本発明の実施の形態４における冷蔵庫の風路を示す断面図である。図１の説明は実施の形態１と同様であるため省略する。
【００２９】
図２、図６において、第１の冷却器２３、冷蔵室用ダクト２５、冷蔵室用吐出風路２５ａ、冷蔵室用戻り風路２５ｂ、冷蔵室用冷却ファン２４、第２の冷却器２６、冷凍室用ダクト２８、冷凍室用吐出風路２８ａ、冷凍室用戻り風路２８ｂ、第１の冷凍室用戻り風路２８ｃ、冷凍室用冷却ファン２７は実施の形態１と同様であるため詳細な説明は省略する。３１は野菜収納ケース、３２は野菜収納ケース３１の蓋であり、第１の冷凍室用戻り風路２８ｃを通過する第１の冷凍室１９を冷却した冷気を受けている。
【００３０】
以上のように構成された冷蔵庫について、以下その動作、作用について説明する。
【００３１】
冷蔵室１８は第１の冷却器２３によって冷却される冷気を直接循環させることによって冷却され、製氷室２０、第１の冷凍室１９、第２の冷凍室２１は第２の冷却器２６によって冷却される冷気を直接循環させることによって冷却されているので、夏場に冷蔵室１８のドア開閉が増え冷蔵室１８に暖湿気が流入しても、第２の冷凍室２１を冷却する第２の冷却器２６は全く影響を受けないため、第２の冷凍室２１の冷凍能力を十分確保することができる。更に、野菜室２２は上部が製氷室２０と第１の冷蔵室１９で下部が第２の冷凍室２１であり、野菜室２２背面には冷凍室用ダクト２８を配置しているので、熱伝導による野菜室２２への冷却効果が生じ、また第１の冷凍室用戻り風路２８ｃを通過する第１の冷凍室１９を冷却した冷気を受けた野菜収納ケース３１と野菜収納ケース３２の蓋によって冷却されているので、直接冷気を循環させずに冷却されるため、野菜室２２の湿度の低下を抑え、野菜の保鮮性を向上させることができる。
【００３２】
（実施の形態５）
図１は本発明の実施の形態５における冷蔵庫の正面図である。図７は本発明の実施の形態５における冷蔵庫の風路を示す正面図である。図３は本発明の実施の形態５における冷蔵庫の戻り風路を示す断面図である。図８は本発明の実施の形態５における冷蔵庫の吐出風路を示す断面図である。図１の説明は実施の形態１と同様であるため省略する。
【００３３】
図７、図３、図８において、第１の冷却器２３、冷蔵室用ダクト２５、冷蔵室用吐出風路２５ａ、冷蔵室用戻り風路２５ｂ、冷蔵室用冷却ファン２４、第２の冷却器２６、冷凍室用ダクト２８、冷凍室用吐出風路２８ａ、冷凍室用戻り風路２８ｂ、第１の冷凍室用戻り風路２８ｃ、冷凍室用冷却ファン２７は実施の形態１と同様であるため詳細な説明は省略する。
【００３４】
以上のように構成された冷蔵庫について、以下その動作、作用について説明する。
【００３５】
冷蔵室１８は第１の冷却器２３によって冷却される冷気を直接循環させることによって冷却され、製氷室２０、第１の冷凍室１９、第２の冷凍室２１は第２の冷却器２６によって冷却される冷気を直接循環させることによって冷却されているので、夏場に冷蔵室１８のドア開閉が増え冷蔵室１８に暖湿気が流入しても、第２の冷凍室２１を冷却する第２の冷却器２６は全く影響を受けないため、第２の冷凍室２１の冷凍能力を十分確保することができる。更に、野菜室２２は上部が製氷室２０と第１の冷蔵室１９で下部が第２の冷凍室２１であり、野菜室２２背面には冷凍室用ダクト２８を配置しているので、熱伝導による野菜室２２への冷却効果が生じ、また第１の冷凍室用戻り風路２８ｃを通過する第１の冷凍室１９を冷却した冷気と第２の冷却器２６によって冷却される冷気と両方から冷却されているので、更に野菜室の冷却効率が高めることができ、野菜の鮮度を高めることができる。
【産業上の利用可能性】
【００３６】
以上のように、本発明にかかる冷蔵庫は、第１の冷却器で冷蔵室を冷却し、第２の冷却器で製氷室、第１の冷凍室、第２の冷凍室を冷却し、第１の冷凍室用戻り風路を通過する第１の冷凍室を冷却した冷気で野菜室を冷却し、野菜室の上部が製氷室と第１の冷蔵室で下部が第２の冷凍室であり、野菜室背面には冷凍室用ダクトを配置しているので、夏場に冷蔵室のドア開閉が増え冷蔵室に暖湿気が流入しても第２の冷凍室を冷却する第２の冷却器は全く影響を受けず、第２の冷凍室の冷凍能力を十分確保することができ、また、冷却効率を向上し、野菜室の湿度の低下を抑え、野菜の保鮮性を向上させることが可能となるので冷凍機器全般の冷却方法の用途にも適用できる。
【図面の簡単な説明】
【００３７】
【図１】本発明の実施の形態１における冷蔵庫の正面図
【図２】本発明の実施の形態１における冷蔵庫の風路を示す正面図
【図３】本発明の実施の形態１における冷蔵庫の風路を示す断面図
【図４】本発明の実施の形態２における冷蔵庫の風路を示す断面図
【図５】本発明の実施の形態３における冷蔵庫の風路を示す断面図
【図６】本発明の実施の形態４における冷蔵庫の風路を示す断面図
【図７】本発明の実施の形態５における冷蔵庫の風路を示す正面図
【図８】本発明の実施の形態５における冷蔵庫の風路を示す断面図
【図９】従来の冷蔵庫の風路を示す正面図
【符号の説明】
【００３８】
１７  冷蔵庫本体
１８  冷蔵室
１９  第１の冷凍室
２０  製氷室
２１  第２の冷凍室
２２  野菜室
２３  第１の冷却器
２５  冷蔵室用ダクト
２５ａ  冷蔵室用吐出風路
２５ｂ  冷蔵室用戻り風路
２６  第２の冷却器
２８  冷凍室用ダクト
２８ａ  冷凍室用吐出風路
２８ｂ  冷凍室用戻り風路
２８ｃ  第１の冷凍室用戻り風路
２９  アルミプレート
３０  樹脂ダクト
３１  野菜収納ケース
３２  蓋
【図１】
2006220315.tif 000003
【図２】
2006220315.tif 000004
【図３】
2006220315.tif 000005
【図４】
2006220315.tif 000006
【図５】
2006220315.tif 000007
【図６】
2006220315.tif 000008
【図７】
2006220315.tif 000009
【図８】
2006220315.tif 000010
【図９】
2006220315.tif 000011